【手続補正書】
【提出日】平成21年2月3日(2009.2.3)
【手続補正１】
【補正対象書類名】特許請求の範囲
【補正対象項目名】全文
【補正方法】変更
【補正の内容】
【特許請求の範囲】
【請求項１】
固体粒子状物質を流動物質に処理しこれを分配する装置であって、
ａ．粒子状物質を受承し保持する貯蔵容器と、
ｂ．粒子状物質の被調整量を伝送するために前記貯蔵容器に関連する供給器集合体であって、
i.供給器集合体ハウジングと、
ii.粒子状物質を受承するための供給器集合体注入口と、
iii.規定される少なくとも一つのアパーチャをそこに有している静止底面と、
iv.環状側壁を有する内部室と、
v.前記底面に関連するピボットと、
vi.前記ピボットと回転関係にあるハブと、
vii.前記ハブを回転させる駆動機構と、
viii.前記ハブと関連するとともにこれから半径方向に延長する複数のパドルと、
ix.前記複数のパドルを取り巻くとともに複数のコンパートメントを規定する環状側壁と、
x.排出口と、
を備えている供給器集合体と、
ｃ．粒子状物質の前記被制御量を受承するとともに前記粒子状物質を流動物質に変換するために前記排出口に関連した熱交換器であって、
i.熱交換器ハウジングと、
ii.溶融されるべき物質を受承するための前記熱交換器ハウジングに関連する熱交換器注入口と、
iii.前記熱交換器ハウジング内に概して互いに近接隔置され、両者間に空隙を有している複数の加熱プレートとを備え、各加熱要素が、
１．熱伝導性、かつ、電気絶縁物質を備える少なくとも一つの第1層と、
２．前記伝導性物質と動作関係にある少なくとも一つの電気抵抗性加熱器素子と、
３．熱伝導性、かつ、電気絶縁物質である少なくとも一つの第２層とを備えており、これによって前記少なくとも一つの電気抵抗性加熱器が熱伝導性、電気絶縁物質の前記第1層と第２層間に実質的に配備されている
熱交換器と、
ｄ．前記熱交換器注入口で物質の量を決定する少なくとも一つのセンサーと、
ｅ．前記流動物質の作動水圧を増大するための加圧集合体であって、
i.加圧集合体ハウジングと、
ii.流動物質を受承するための前記加圧集合体内の注入口と、
iii.ポンプと、
iv.前記ポンプを駆動するための駆動機構と、
v.前記流動物質を転送する前記ハウジング内の少なくとも一つの加圧集合体排出口と、
vi.前記流動物質を分配するために前記ハウジングと関連する少なくとも一つのディスペンサーと、
を備えた加圧集合体と、
を備えている固体粒子状物質を流動物質に処理しこれを分配する装置。
【手続補正２】
【補正対象書類名】明細書
【補正対象項目名】００３８
【補正方法】変更
【補正の内容】
【００３８】
これまでの説明から、図に関して説明した実施例が、単なる例であり、当業者が本発明の精神と範囲から逸脱することなく図示実施例を変形し修正できることを理解しなければならない。このような全ての変形および修正は添付請求の範囲によって規定された本発明の範囲内に含まれることを意図している。全ての適用例、特許および文書並びに関連する開示はそのまま引用することにより一体化する。
次の事項を開示する。
（請求項１）
固体粒子状物質を流動物質に処理しこれを分配する装置であって、
ａ．粒子状物質を受承し保持する貯蔵容器と、
ｂ．粒子状物質の被調整量を伝送するために前記貯蔵容器に関連する供給器集合体であって、
i.供給器集合体ハウジングと、
ii.粒子状物質を受承するための供給器集合体注入口と、
iii.規定される少なくとも一つのアパーチャをそこに有している静止底面と、
iv.環状側壁を有する内部室と、
v.前記底面に関連するピボットと、
vi.前記ピボットと回転関係にあるハブと、
vii.前記ハブを回転させる駆動機構と、
viii.前記ハブと関連するとともにこれから半径方向に延長する複数のパドルと、
ix.前記複数のパドルを取り巻くとともに複数のコンパートメントを規定する環状側壁と、
x.排出口と、
を備えている供給器集合体と、
ｃ．粒子状物質の前記被制御量を受承するとともに前記粒子状物質を流動物質に変換するために前記排出口に関連した熱交換器であって、
i.熱交換器ハウジングと、
ii.溶融されるべき物質を受承するための前記熱交換器ハウジングに関連する熱交換器注入口と、
iii.前記熱交換器ハウジング内に概して互いに近接隔置され、両者間に空隙を有している複数の加熱プレートとを備え、各加熱要素が、
１．熱伝導性、かつ、電気絶縁物質を備える少なくとも一つの第1層と、
２．前記伝導性物質と動作関係にある少なくとも一つの電気抵抗性加熱器素子と、
３．熱伝導性、かつ、電気絶縁物質である少なくとも一つの第２層とを備えており、これによって前記少なくとも一つの電気抵抗性加熱器が熱伝導性、電気絶縁物質の前記第1層と第２層間に実質的に配備されている
熱交換器と、
ｄ．前記熱交換器注入口で物質の量を決定する少なくとも一つのセンサーと、
ｅ．前記流動物質の作動水圧を増大するための加圧集合体であって、
i.加圧集合体ハウジングと、
ii.流動物質を受承するための前記加圧集合体内の注入口と、
iii.ポンプと、
iv.前記ポンプを駆動するための駆動機構と、
v.前記流動物質を転送する前記ハウジング内の少なくとも一つの加圧集合体排出口と、
vi.前記流動物質を分配するために前記ハウジングと関連する少なくとも一つのディスペンサーと、
を備えた加圧集合体と、
を備えている固体粒子状物質を流動物質に処理しこれを分配する装置。
（請求項２）
前記貯蔵容器に関連するフィルターをさらに備えている請求項１に記載の装置。
（請求項３）
固体熱可塑性物質を処理する方法であって、
ａ．前記固体熱可塑性物質を貯蔵容器内に貯蔵するステップと、
ｂ．前記下流熱交換器の要求に基づいた被制御量で熱交換器に前記固体熱可塑性物質を転送するステップであって、前記熱交換器が注入口を有しているステップと、
ｃ．ステップｂの後、前記熱交換器部注入口に蓄積された熱可塑性物質の量を検知するステップと、
ｄ．前記熱可塑性物質を溶融するステップと、
ｅ．前記流動可能な熱可塑性物質を基板に分配するステップと、
を備えている固体熱可塑性物質を処理する方法。
（請求項４）
前記分配ステップが、適切な分配に充分な加圧力を前記流動熱可塑性物質に適用することによって達成される請求項３に記載の方法。
（請求項５）
加圧下で流動物質を分配するための一体型マニフォルド装置であって、
ａ．ハウジングと、
ｂ．流動物質を受承するための前記ハウジング内の注入口と、
ｃ．ポンプと、
ｄ．前記ポンプを駆動するための機構と、
ｅ．前記流動物質を転送する前記ハウジング内の少なくとも一つの排出口と、
ｆ．前記流動物質を分配するために前記ハウジングに関連する少なくとも一つのディスペンサーと、
を備えている加圧下で流動物質を分配するための一体型マニフォルド装置。
（請求項６）
非液体物質を除去するためのフィルターをさらに備えている請求項５に記載のマニフォルド装置。
（請求項７）
前記少なくとも一つのディスペンサーが前記ハウジングに着脱可能に取り付けることができる請求項５に記載のマニフォルド装置。
（請求項８）
駆動プレート、中央プレートおよびモジュール・プレートを備えている請求項５に記載のマニフォルド装置。
（請求項９）
駆動板およびモジュール・プレートを備えている請求項５に記載のマニフォルド装置。
（請求項１０）
前記ディスペンサーが制御可能に物質を解放できる請求項５に記載のマニフォルド装置。
（請求項１１）
前記ディスペンサーが空気作動ポートを備えている請求項１０に記載のマニフォルド装置。
（請求項１２）
圧力放出機構をさらに備えている請求項５に記載のマニフォルド装置。
（請求項１３）
前記圧力放出機構が電気的に作動可能であり、かつ、センサーに応答するスイッチを含んでいる請求項１２に記載のマニフォルド装置。
（請求項１４）
前記ポンプが対向位置で回転可能な一対の相互作用ギアを備えており、前記ギアの少なくとも一つが前記流動物質上に圧力を受承するとともに作用する駆動シャフトに作動関係にある請求項５に記載のマニフォルド装置。
（請求項１５）
固体流動物質を被制御供給する装置であって、
ａ．ハウジングと、
ｂ．流動物質を受承するための注入口と、
ｃ．アパーチャの穿設された静止底面と、
ｄ．環状側壁を有する内部室と、
ｅ．前記底面に関連するピボットと、
ｆ．前記ピボットと回転関係にあるハブと、
ｇ．前記ハブを回転させるための駆動機構と、
ｈ．前記ハブに関連し、前記ハブから半径方向に延長する複数のパドルと、
ｉ．前記複数のパドルを取り巻き、複数のコンパートメントを規定する環状側壁と、
ｊ．排出口と、
を備えている固体流動物質を被制御供給する装置。
（請求項１６）
被調整量を調節する前記手段が、前記複数のコンパートメント内にある粒子状熱可塑性物質の高さを制御するための調節可能スロートを備えている請求項１５に記載の供給装置。
（請求項１７）
粒子状熱可塑性物資の固定量を測定するための前記内部室が、
ａ．ホイール軸近接部から放出している複数の分離垂直方向パドルと前記ホイールの周壁の内部垂直面によって形成されたコンパートメントを備えている回転可能ホイールと、
ｂ．前記回転ホイールが回動し、前記熱可塑性物質が載置される水平静止プレートと、
を備えている請求項１５に記載の供給装置。
（請求項１８）
流動熱可塑性物質の前記固定量を要求時に解放するための前記手段が前記静止プレート内の少なくとも一つのアパーチャを備えている請求項１５に記載の供給装置。
（請求項１９）
前記複数のパドルが各々ここから下方向に延長する可撓性物質を有している底部縁をさらに備えている請求項１５に記載の供給装置。
（請求項２０）
透明物質または半透明物質で構成されている請求項１５に記載の供給装置。
（請求項２１）
前記スロートが、前記コンパートメント上方で前記注入口の高さを摺動して調整するために前記注入口を取り巻いているカラーをさらに備えている請求項１６に記載の供給装置。
（請求項２２）
前記内部室がカバーをさらに備えている請求項１５に記載の供給装置。
（請求項２３）
前記駆動機構が、空気シリンダーとラチェット機構を有しているインデクサを備えている請求項１５に記載の供給装置。
（請求項２４）
前記駆動機構がモータを備える請求項１５に記載の供給装置。
（請求項２５）
固体粒子状物質を溶融する装置であって、
ａ．ハウジングと、
ｂ．溶融されるべき物質を受承するための前記ハウジングと関連された注入口と、
ｃ．前記ハウジング内に概して近接隔置され、両者間に空隙を有している複数の加熱器プレートとを備え、各加熱器素子（プレート）が、
ｉ．熱伝導性、かつ、電気絶縁物質を備える少なくとも一つの第1層と、
ii．前記伝導性物質と動作関係にある少なくとも一つの電気抵抗加熱器素子と、
iii．熱伝導性、かつ、電気絶縁物質を備える少なくとも一つの第２層とを備えており、これによって前記少なくとも一つの電気抵抗加熱器が熱伝導性、電気絶縁物質の前記第1層と第２層間に実質的に配備されている加熱器プレートと、
を備えている固体粒子状物質を溶融する装置。
（請求項２６）
被溶融物質のための排出口をさらに備えている請求項２５に記載の装置。
（請求項２７）
前記複数の加熱器プレートが、複数のほぼ平坦プレートを備えている請求項２５に記載の装置。
（請求項２８）
前記電気的抵抗層が、黒鉛またはフィルム内に収容された少なくとも一枚の箔または一本の線巻回素子を備えている請求項２５に記載の装置。
（請求項２９）
前記加熱器プレートが、電気的絶縁物質の二つの層間に配備された黒鉛層を備えている請求項２５に記載の装置。
（請求項３０）
前記加熱器素子（プレート）が、前記電気的絶縁物質の両側部に積層された熱伝導性物質の層をさらに備えている請求項２５に記載の加熱器素子。
（請求項３１）
前記電気的絶縁物質が、ポリイミド・フィルムである請求項２５に記載の加熱器素子。
（請求項３２）
前記熱伝導性物質が、アルミニウムである請求項２５に記載の加熱器素子。
（請求項３３）
前記熱伝導性物質が、非接着コーティングで被覆される請求項２５に記載の加熱器素子。
（請求項３４）
前記各プレートが、前記プレートを前記ハウジングに接着させるための手段をさらに備えている請求項２５に記載の装置。
（請求項３５）
前記接着手段が前記ハウジングと関連する少なくとも一つのスロットを備えており、このスロットに前記プレートが挿入され、かつ、維持される請求項３４に記載の装置。
（請求項３６）
前記空隙が約０．１と０．４インチの間である請求項２５に記載の装置。
（請求項３７）
前記被加熱面が、概して平行方向に配列されている請求項２５に記載の装置。
（請求項３８）
前記被加熱面が前記物質の流れ方向に減少する空間を置いたプレートに対して概して放射状扇形方向に配列されている請求項２５に記載の装置。
（請求項３９）
前記被加熱面が、実質上平行方向に配列されたフィンからなる請求項２５に記載の装置。
（請求項４０）
前記被加熱面が、２方向に配列され効果的にグリッドを形成する２セットの交差フィンからなる請求項２５に記載の装置。
（請求項４１）
前記被加熱面が複数の被加熱プレートを備えており、各プレートが約０．２インチ未満ないしこれに等しい厚みを有している請求項２５に記載の装置。
（請求項４２）
前記被加熱面が複数の被加熱プレートを備えており、各プレートが約０．０４インチ厚みを有している請求項２５に記載の装置。
（請求項４３）
前記内部加熱器が、電気抵抗加熱器である請求項２５に記載の装置。
（請求項４４）
前記内部加熱器が、物質流れ内にその相対的位置のための熱交換要求負荷と等しい可変ワット数密度を有している請求項２５に記載の装置。
（請求項４５）
前記内部加熱器が、導電性経路に沿って可変電気抵抗を有している請求項２５に記載の装置。
（請求項４６）
前記加熱器が、少なくとも一つの温度制御ゾーンに分割される請求項２５に記載の装置。
（請求項４７）
前記加熱器が、少なくとも二つの温度制御ゾーンに分割される請求項２５に記載の装置。
（請求項４８）
前記内部加熱器が、前記物質の流れ方向に沿った熱交換要求負荷と等しい可変ワット数密度を有している請求項４６に記載の装置。
（請求項４９）
ワット数密度対前記プレートに沿った距離間の関係が非直線である請求項４６に記載の装置。
（請求項５０）
前記関係が、数式C(1-e-t/τ)に従い、ここにCは定数であり、ｔは時間（プレート経路に沿った距離に比例）およびτは時定数である請求項４９に記載の装置。
（請求項５１）
前記ワット数密度が前記プレートに沿って概して滑らかな傾斜状に変化する請求項４６に記載の装置。
（請求項５２）
前記ワット数密度が前記プレートに沿って概して階段関数として変化する請求項４６に記載の装置。
（請求項５３）
前記注入口に存在し、および／またはこれに近い数量の物質を検知するためのセンサーをさらに備えている請求項２５に記載の装置。
（請求項５４）
センサーが存在感知装置を備えている請求項５３に記載の装置。
（請求項５５）
前記外壁が熱絶縁物質からなる請求項２５に記載の装置。
（請求項５６）
前記排出口が、傾斜部を有し前記流動可能熱可塑性物質の排出を促進する底部を含んでいる請求項２５に記載の装置。